(57)【要約】【課題】メッシュおよび縫合糸キットであって、具体的には、各々が対象の組織に関するメッシュの配向を識別するために１つ以上のマーキングを有する縫合糸およびメッシュ材料を提供すること。【解決手段】複数の可撓性の縫合糸のストランドであって、該縫合糸のストランドの各々は、縫合糸配向を示す１つ以上の縫合糸マーキングを有する、縫合糸のストランドと、該縫合糸のストランドがそれを通過させられることを可能にするように構成されるメッシュ材料であって、該メッシュ材料の少なくとも１つの四分円／区画は、メッシュ材料配向を示す１つ以上のメッシュマーキングを有する、メッシュ材料とを備え、該１つ以上の縫合糸マーキングは視覚標識を含み、該１つ以上のメッシュマーキングは視覚標識を含み、該縫合糸視覚標識は、該メッシュ視覚標識と対応することにより、対象の組織に関して該メッシュ材料の正しい配向を示す、縫合糸キットである。【選択図】図１
2011078767.tif 000002
【特許請求の範囲】
【請求項１】
縫合糸キットであって、
複数の可撓性の縫合糸のストランドであって、該縫合糸のストランドの各々は、縫合糸配向を示す１つ以上の縫合糸マーキングを有する、縫合糸のストランドと、
該縫合糸のストランドがそれを通過させられることを可能にするように構成されるメッシュ材料であって、該メッシュ材料の少なくとも１つの四分円／区画は、メッシュ材料配向を示す１つ以上のメッシュマーキングを有する、メッシュ材料と
を備え、
該１つ以上の縫合糸マーキングは視覚標識を含み、該１つ以上のメッシュマーキングは視覚標識を含み、該縫合糸視覚標識は、該メッシュ視覚標識と対応することにより、対象の組織に関して該メッシュ材料の正しい配向を示す、縫合糸キット。
【請求項２】
前記メッシュ材料の少なくとも１つの四分円／区画は、メッシュ材料配向を示す１つ以上のマーキングを有するパッチをさらに備える、請求項１に記載の縫合糸キット。
【請求項３】
前記視覚標識は、色のマーキングである、請求項１に記載の縫合糸キット。
【請求項４】
前記複数の可撓性の縫合糸のストランドは、少なくとも４つのコントラストを成す色のメッシュマーキングに対応する少なくとも４つのコントラストを成す色の縫合糸を含む、請求項１に記載の縫合糸キット。
【請求項５】
前記少なくとも４つのコントラストを成す色の縫合糸は、ヘルニア修復処置の間、前記メッシュ材料の前記四分円／区画を前記対象の組織に固定する、請求項４に記載の縫合糸キット。
【請求項６】
前記視覚標識は、染色工程、またはスタンピング工程によって作製される、請求項１に記載の縫合糸キット。
【請求項７】
前記複数の可撓性の縫合糸のストランドの各々は、単繊維、多繊維、有刺、またはこれらの組合せとして構成される、請求項１に記載の縫合糸キット。
【請求項８】
前記複数の可撓性の縫合糸のストランドの各々は、吸収性、非吸収性、またはそれらの組合せであるポリマーを含む、請求項１に記載の縫合糸キット。
【請求項９】
前記視覚標識は、複数の色、形状、パターン、および／またはエンドエフェクタから成る群から選択される、請求項１に記載の縫合糸キット。
【請求項１０】
前記視覚標識は、前記メッシュ材料のメッシュ織の中に染糸を織り込むことによって得られる、請求項１に記載の縫合糸キット。
【請求項１１】
前記視覚標識は、前記メッシュ材料が織られた後に、スタンピング工程によって得られる、請求項１に記載の縫合糸キット。
【請求項１２】
前記メッシュ材料は、該メッシュ材料の上面または前面上に設置される文字を含む、請求項１に記載の縫合糸キット。
【請求項１３】
前記メッシュ材料の前記上面または前記前面上に設置される前記文字は、「ＴＯＰ」である、請求項１２に記載の縫合糸キット。
【請求項１４】
前記メッシュ材料は、前記メッシュ材料の上面または前面上に設置されるブルスアイスタンプを含む、請求項１に記載の縫合糸キット。
【請求項１５】
前記メッシュ材料は、該メッシュ材料の隅に、または該メッシュ材料の長さに沿って所定の距離をあけた間隔でのいずれかで、該メッシュ材料の上面または前面上に設置される矢状の印を含む、請求項１に記載の縫合糸キット。
【請求項１６】
前記メッシュ視覚標識は、可変の大きさである、請求項１に記載の縫合糸キット。
【請求項１７】
前記縫合糸視覚標識および前記メッシュ視覚標識は、放射線不透過性である、請求項１に記載の縫合糸キット。
【請求項１８】
縫合システムであって、
複数の可撓性の縫合糸のストランドおよびメッシュ材料を有する縫合糸キットであって、該メッシュ材料は、外科部位内に設置されるように構成され、該メッシュ材料は、該外科部位に関連して該メッシュ材料を配向するために、１つ以上のメッシュ視覚標識を備える、縫合糸キットと、
１つ以上の縫合糸マーキングを有する該複数の可撓性の縫合糸のストランドを該メッシュ材料の対応するメッシュマーキングに相関させる手段と、
該複数の可撓性のストランドを介して該メッシュ材料を該外科部位に固定する手段と
を含む、システム。
【請求項１９】
４つの縫合糸をさら含み、該４つの縫合糸は、４つの対応するメッシュの隅／四分円／区画において、前記メッシュ材料を通過させられるように構成されている、請求項１８に記載のシステム。
【請求項２０】
前記メッシュ材料は、印刷された文字を備える、請求項１８に記載のシステム。
【請求項２１】
前記メッシュ材料は、ブルスアイスタンプを備える、請求項１８に記載のシステム。
【請求項２２】
前記メッシュ材料は、複数の印を該メッシュ材料の上に備える、請求項１８に記載のシステム。
【請求項２３】
前記メッシュ材料は、該メッシュ材料の中に織り込まれた染糸を備える、請求項１８に記載のシステム。
【請求項２４】
外科キットアセンブリであって、
４つの縫合糸であって、該４つの縫合糸の各々は、異なる縫合糸色を有する、４つの縫合糸と、
４つのパッチを有するメッシュ層であって、該４つのメッシュパッチの各々は異なるパッチ色を有する、メッシュ層と
を備え、
該縫合糸における縫合糸色は、該メッシュ層における該メッシュ色に対応し、該メッシュ層は、該メッシュ層の前面上に文字およびブルスアイスタンプをさらに含むことにより、該メッシュ層の配向を示す、外科キットアセンブリ。
【発明の詳細な説明】
【技術分野】
【０００１】
（関連出願の相互参照）
本願は、米国仮特許出願第６１／２４８，６０５号（２００９年１０月５日出願）の利益および優先権を主張し、この出願の全内容は、本明細書に参考として援用される。
【０００２】
(技術分野）
本開示は、メッシュおよび縫合糸キットに関する。具体的には、本開示は、各々が対象の組織に関するメッシュの配向を識別するために１つ以上のマーキングを有する縫合糸およびメッシュ材料に関する。
【背景技術】
【０００３】
（関連技術の記述）
縫合糸が、一般に、人体の皮膚、内部器官、血管、および様々な他の組織内の開口を修復するために用いられることは公知である。従来、人の組織の縫合は、開放性外科処置または最小侵襲性外科処置の間に生じる。
【０００４】
特定の最小侵襲性外科処置、すなわち、内視鏡および腹腔鏡の手術において、外科医は、この目的に対して特に設計された器具を用いて、自然の身体開口または１つ以上の小切開を通して外科部位において診断または治療処置を実行する。そのような最小侵襲性外科処置において外科医が直面する問題は、どの縫合糸のストランドが対になり、どの縫合糸のストランドがメッシュ材料の特定の隅に属するのかということを識別することを含む。従って、縫合処置は、特に最小侵襲性外科処置において課題であり得る。例えば、外科医がメッシュの配向および様々な縫合糸間を区別することのような、使用されている縫合糸材料の様々な特質を決定することは困難であり得る。
【０００５】
さらに、複雑で広範囲にわたる外科修復は、いくつかの縫合糸アンカーを、多くの縫合糸自由端の数だけ何度も使用することを必要とし得る。これらの処置は、個々の縫合糸のストランドおよびそれらの互いの関係を追跡すること、すなわち、縫合糸管理は、外科医に対して特定の課題を提示し得る。何故なら、特にそのような処置は、しばしば、遠隔的な視覚化を用いて関節鏡的に実行されるからである。外科医は、正しく修復を実行し、縫合糸がアンカーから偶然に取り外されることがないことを確実にするために、どの縫合糸端が各縫合糸アンカーと、そして互いに関連しているかを識別できなければならない。関節鏡修復処置において、縫合糸管理は、特に困難であり得、その理由は、外科部位におけるアンカー、およびアンカーに関連する縫合糸の可視性が非常に制限されることにある。さらに、外科部位から延びる多くの縫合糸のストランドの存在が、外科医に対して外科処置の困難性を一層増加させ、縫合糸を絡ませるリスクを提示するので、身体的および視覚的な混乱を生じさせ得る。
【発明の概要】
【発明が解決しようとする課題】
【０００６】
従って、特に、ヘルニア修復に関連する処置等の最小侵襲性外科処置において、縫合糸管理に対して使用の容易さの向上と容易な識別を提供する縫合糸キット改良のニーズが存在する。
【課題を解決するための手段】
【０００７】
本開示は、複数の可撓性の縫合糸のストランドを含む縫合糸キットに向けられ、縫合糸のストランドの各々は、縫合糸配向を示す１つ以上の縫合糸マーキングと、縫合糸のストランドがそれを通して貫通させられるように構成されるメッシュ材料とを有しており、１つ以上のメッシュマーキングを有する少なくとも１つのメッシュ材料の四分円／区画はメッシュ材料配向を示している。１つ以上の縫合糸マーキングは、視覚標識を含み、１つ以上のメッシュマーキングは視覚標識を含み、縫合糸視覚標識がメッシュ視覚標識と対応することによって、対象の組織に対するメッシュ材料の正しい配向を示す。
【０００８】
本開示の別の局面に従って、縫合方法が開示され、この縫合方法は、複数の可撓性の縫合糸のストランドおよびメッシュ材料を有する縫合糸キットを提供することと、メッシュ材料を外科部位内に導くことと、１つ以上のメッシュ視覚標識を介して、外科部位に関連してメッシュ材料を配向することとを含む。次のステップは、１つ以上の縫合糸マーキングを有する複数の可撓性の縫合糸のストランドを対応するメッシュマーキングに相関させることを含む。さらに、複数の可撓性のストランドを介してメッシュ材料を外科部位に固定することが実行される。
【０００９】
本開示の別の局面に従って、外科キットアセンブリが開示され、この外科キットアセンブリは、４つの縫合糸の各々が異なる縫合糸色を有し、メッシュ層が４つのパッチを有し、４つのパッチの各々は異なるパッチ色を有する。縫合糸上の縫合糸色は、メッシュ層のパッチ色に対応し、メッシュ層は、さらにメッシュ層の前面上に文字とブルスアイスタンプとを含むことによってメッシュ層の配向を示す。
【００１０】
本発明は、さらに以下を提供する。
（項目１Ａ）
縫合糸キットであって、
複数の可撓性の縫合糸のストランドであって、該縫合糸のストランドの各々は、縫合糸配向を示す１つ以上の縫合糸マーキングを有する、縫合糸のストランドと、
該縫合糸のストランドがそれを通過させられることを可能にするように構成されるメッシュ材料であって、該メッシュ材料の少なくとも１つの四分円／区画は、メッシュ材料配向を示す１つ以上のメッシュマーキングを有する、メッシュ材料と
を備え、
該１つ以上の縫合糸マーキングは視覚標識を含み、該１つ以上のメッシュマーキングは視覚標識を含み、該縫合糸視覚標識は、該メッシュ視覚標識と対応することにより、対象の組織に関して該メッシュ材料の正しい配向を示す、縫合糸キット。
（項目２Ａ）
上記メッシュ材料の少なくとも１つの四分円／区画は、メッシュ材料配向を示す１つ以上のマーキングを有するパッチをさらに備える、上記項目に記載の縫合糸キット。
（項目３Ａ）
上記視覚標識は、色のマーキングである、上記項目のうちのいずれか一項に記載の縫合糸キット。
（項目４Ａ）
上記複数の可撓性の縫合糸のストランドは、少なくとも４つのコントラストを成す色のメッシュマーキングに対応する少なくとも４つのコントラストを成す色の縫合糸を含む、上記項目のうちのいずれか一項に記載の縫合糸キット。
（項目５Ａ）
上記少なくとも４つのコントラストを成す色の縫合糸は、ヘルニア修復処置の間、上記メッシュ材料の上記四分円／区画を上記対象の組織に固定する、上記項目のうちのいずれか一項に記載の縫合糸キット。
（項目６Ａ）
上記視覚標識は、染色工程、またはスタンピング工程によって作製される、上記項目のうちのいずれか一項に記載の縫合糸キット。
（項目７Ａ）
上記複数の可撓性の縫合糸のストランドの各々は、単繊維、多繊維、有刺、またはこれらの組合せとして構成される、上記項目のうちのいずれか一項に記載の縫合糸キット。
（項目８Ａ）
上記複数の可撓性の縫合糸のストランドの各々は、吸収性、非吸収性、またはそれらの組合せであるポリマーを含む、上記項目のうちのいずれか一項に記載の縫合糸キット。
（項目９Ａ）
上記視覚標識は、複数の色、形状、パターン、および／またはエンドエフェクタから成る群から選択される、上記項目のうちのいずれか一項に記載の縫合糸キット。
（項目１０Ａ）
上記視覚標識は、上記メッシュ材料のメッシュ織の中に染糸を織り込むことによって得られる、上記項目のうちのいずれか一項に記載の縫合糸キット。
（項目１１Ａ）
上記視覚標識は、上記メッシュ材料が織られた後に、スタンピング工程によって得られる、上記項目のうちのいずれか一項に記載の縫合糸キット。
（項目１２Ａ）
上記メッシュ材料は、該メッシュ材料の上面または前面上に設置される文字を含む、上記項目のうちのいずれか一項に記載の縫合糸キット。
（項目１３Ａ）
上記メッシュ材料の上記上面または上記前面上に設置される上記文字は、「ＴＯＰ」である、上記項目のうちのいずれか一項に記載の縫合糸キット。
（項目１４Ａ）
上記メッシュ材料は、上記メッシュ材料の上面または前面上に設置されるブルスアイスタンプを含む、上記項目のうちのいずれか一項に記載の縫合糸キット。
（項目１５Ａ）
上記メッシュ材料は、該メッシュ材料の隅に、または該メッシュ材料の長さに沿って所定の距離をあけた間隔でのいずれかで、該メッシュ材料の上面または前面上に設置される矢状の印を含む、上記項目のうちのいずれか一項に記載の縫合糸キット。
（項目１６Ａ）
上記メッシュ視覚標識は、可変の大きさである、上記項目のうちのいずれか一項に記載の縫合糸キット。
（項目１７Ａ）
上記縫合糸視覚標識および上記メッシュ視覚標識は、放射線不透過性である、上記項目のうちのいずれか一項に記載の縫合糸キット。
（項目１８Ａ）
縫合システムであって、
複数の可撓性の縫合糸のストランドおよびメッシュ材料を有する縫合糸キットであって、該メッシュ材料は、外科部位内に設置されるように構成され、該メッシュ材料は、該外科部位に関連して該メッシュ材料を配向するために、１つ以上のメッシュ視覚標識を備える、縫合糸キットと、
１つ以上の縫合糸マーキングを有する該複数の可撓性の縫合糸のストランドを該メッシュ材料の対応するメッシュマーキングに相関させる手段と、
該複数の可撓性のストランドを介して該メッシュ材料を該外科部位に固定する手段と
を含む、システム。
（項目１９Ａ）
４つの縫合糸をさら含み、該４つの縫合糸は、４つの対応するメッシュの隅／四分円／区画において、上記メッシュ材料を通過させられるように構成されている、上記項目のうちのいずれか一項に記載のシステム。
（項目２０Ａ）
上記メッシュ材料は、印刷された文字を備える、上記項目のうちのいずれか一項に記載のシステム。
（項目２１Ａ）
上記メッシュ材料は、ブルスアイスタンプを備える、上記項目のうちのいずれか一項に記載のシステム。
（項目２２Ａ）
上記メッシュ材料は、複数の印を該メッシュ材料の上に備える、上記項目のうちのいずれか一項に記載のシステム。
（項目２３Ａ）
上記メッシュ材料は、該メッシュ材料の中に織り込まれた染糸を備える、上記項目のうちのいずれか一項に記載のシステム。
（項目２４Ａ）
外科キットアセンブリであって、
４つの縫合糸であって、該４つの縫合糸の各々は、異なる縫合糸色を有する、４つの縫合糸と、
４つのパッチを有するメッシュ層であって、該４つのメッシュパッチの各々は異なるパッチ色を有する、メッシュ層と
を備え、
該縫合糸における縫合糸色は、該メッシュ層における該メッシュ色に対応し、該メッシュ層は、該メッシュ層の前面上に文字およびブルスアイスタンプをさらに含むことにより、該メッシュ層の配向を示す、外科キットアセンブリ。
（項目１Ｂ)
縫合糸キットであって、
複数の可撓性の縫合糸のストランドであって、該縫合糸のストランドの各々は、縫合糸の配向を示す１つ以上の縫合糸マーキングを有する、縫合糸のストランドと、
該縫合糸のストランドがそれを通過させられることを可能にするように構成されるメッシュ材料であって、該メッシュ材料の少なくとも１つの四分円／区画は、メッシュ材料配向を示す１つ以上のメッシュマーキングを有する、メッシュ材料と
を備え、
該１つ以上の縫合糸マーキングは視覚標識を含み、該１つ以上のメッシュマーキングは視覚標識を含み、該縫合糸視覚標識は、該メッシュ視覚標識と対応することにより、対象の組織に関して該メッシュ材料の正しい配向を示す、縫合糸キット。
（項目２Ｂ)
上記メッシュ材料の少なくとも１つの四分円／区画は、メッシュ材料配向を示す１つ以上のマーキングを有するパッチをさらに備える、上記項目のうちのいずれか一項に記載の縫合糸キット。
（項目３Ｂ)
上記視覚標識は、色のマーキングである、上記項目のうちのいずれか一項に記載の縫合糸キット。
（項目４Ｂ)
上記複数の可撓性の縫合糸のストランドは、少なくとも４つのコントラストを成す色のメッシュマーキングに対応する少なくとも４つのコントラストを成す色の縫合糸を含む、上記項目のうちのいずれか一項に記載の縫合糸キット。
（項目５Ｂ)
上記少なくとも４つのコントラストを成す色の縫合糸は、ヘルニア修復処置の間、上記メッシュ材料の上記四分円／区画を上記対象の組織に固定する、上記項目のうちのいずれか一項に記載の縫合糸キット。
（項目６Ｂ)
上記視覚標識は、染色工程、またはスタンピング工程によって作製される、上記項目のうちのいずれか一項に記載の縫合糸キット。
（項目７Ｂ)
上記複数の可撓性の縫合糸のストランドの各々は、単繊維、多繊維、有刺、またはこれらの組合せとして構成される、上記項目のうちのいずれか一項に記載の縫合糸キット。
（項目８Ｂ）
上記複数の可撓性の縫合糸のストランドの各々は、吸収性、非吸収性、またはそれらの組合せであるポリマーを含む、上記項目のうちのいずれか一項に記載の縫合糸キット。
（項目９Ｂ）
上記視覚標識は、複数の色、形状、パターン、および／またはエンドエフェクタから成る群から選択される、上記項目のうちのいずれか一項に記載の縫合糸キット。
（項目１０Ｂ）
上記視覚標識は、上記メッシュ材料のメッシュ織の中に染糸を織り込むことによって得られる、上記項目のうちのいずれか一項に記載の縫合糸キット。
（項目１１Ｂ）
上記視覚標識は、上記メッシュ材料が織られた後に、スタンピング工程によって得られる、上記項目のうちのいずれか一項に記載の縫合糸キット。
（項目１２Ｂ）
上記メッシュ材料は、該メッシュ材料の上面または前面上に設置される文字を含む、上記項目のうちのいずれか一項に記載の縫合糸キット。
（項目１３Ｂ）
上記メッシュ材料の上記上面または上記前面上に設置される上記文字は、「ＴＯＰ」である、上記項目のうちのいずれか一項に記載の縫合糸キット。
（項目１４Ｂ）
上記メッシュ材料は、上記メッシュ材料の上面または前面上に設置されるブルスアイスタンプを含む、上記項目のうちのいずれか一項に記載の縫合糸キット。
（項目１５Ｂ）
上記メッシュ材料は、該メッシュ材料の隅に、または該メッシュ材料の長さに沿って所定の距離をあけた間隔でのいずれかで、該メッシュ材料の上面または前面上に設置される矢状の印を含む、上記項目のうちのいずれか一項に記載の縫合糸キット。
（項目１６Ｂ）
上記メッシュ視覚標識は、可変の大きさである、上記項目のうちのいずれか一項に記載の縫合糸キット。
（項目１７Ｂ）
上記縫合糸視覚標識および上記メッシュ視覚標識は、放射線不透過性である、上記項目のうちのいずれか一項に記載の縫合糸キット。
（項目１８Ｂ）
縫合方法であって、
複数の可撓性の縫合糸のストランドおよびメッシュ材料を有する縫合糸キットを提供するステップと、
該メッシュ材料を外科部位内に導くステップと、
１つ以上のメッシュ視覚標識を介して、該外科部位に関連して該メッシュ材料を配向するステップと、
１つ以上の縫合糸マーキングを有する該複数の可撓性の縫合糸のストランドを該メッシュ材料の対応するメッシュマーキングに相関させるステップと、
該複数の可撓性のストランドを介して該メッシュ材料を該外科部位に固定するステップと
を含む、方法。
（項目１９Ｂ）
４つの対応するメッシュの隅／四分円／区画において、４つの縫合糸に上記メッシュ材料を通過させることを含む、上記項目のうちのいずれか一項に記載の方法。
（項目２０Ｂ）
上記メッシュ材料上に印刷された文字を組み込むことをさらに含む、上記項目のうちのいずれか一項に記載の方法。
（項目２１Ｂ）
上記メッシュ材料上にブルスアイスタンプを組み込むことをさらに含む、上記項目のうちのいずれか一項に記載の方法。
（項目２２Ｂ）
上記メッシュ材料上に複数の印を組み込むことをさらに含む、上記項目のうちのいずれか一項に記載の方法。
（項目２３Ｂ）
上記メッシュ材料のメッシュ織内に染糸を組み込むことをさらに含む、上記項目のうちのいずれか一項に記載の方法。
（項目２４Ｂ）
外科キットアセンブリであって、
４つの縫合糸であって、該４つの縫合糸の各々は、異なる縫合糸色を有する、４つの縫合糸と、
４つのパッチを有するメッシュ層であって、該４つのメッシュパッチの各々は異なるパッチ色を有する、メッシュ層と
を備え、
該縫合糸における縫合糸色は、該メッシュ層における該メッシュ色に対応し、該メッシュ層は、該メッシュ層の前面上に文字およびブルスアイスタンプをさらに含むことにより、該メッシュ層の配向を示す、外科キットアセンブリ。
【００１１】
（摘要）
縫合糸キットは、複数の可撓性の縫合糸のストランドを含み、縫合糸のストランドの各々は、縫合糸の配向を示す１つ以上の縫合糸マーキングと、縫合糸のストランドがそれを通過させられることを可能にするように構成されるメッシュ材料とを有しており、メッシュ材料の少なくとも１つの四分円／区画は、メッシュ材料配向を示す１つ以上のメッシュマーキングを有している。１つ以上の縫合糸マーキングは視覚標識を含み、１つ以上のメッシュマーキングは視覚標識を含み、縫合糸視覚標識は、メッシュ視覚標識と対応することにより、対象の組織に関してメッシュ材料の正しい配向を表示する。
【図面の簡単な説明】
【００１２】
本開示についての上記および他の局面および特徴は、次の添付図面に関連して調べられると、以下の詳細な説明を考慮することによってより明らかになる。
【図１】図１は、本開示に従う、事前にマーキングされたメッシュと協力する複数の異なる着色の縫合糸の斜視図である。
【図２】図２は、本開示に従う、事前にマーキングされたメッシュと協力する複数の異なる着色の縫合糸の斜視図であって、メッシュはメッシュの前面上にブルスアイ（ｂｕｌｌ’ｓ  ｅｙｅ）スタンプを有している。
【図３】図３は、本開示に従う、事前にマーキングされたメッシュと協力する複数の異なる着色の縫合糸の斜視図であって、メッシュはメッシュの前面を横切る文字を有している。
【図４】図４は、本開示に従う、事前にマーキングされたメッシュと協力する複数の異なる着色の縫合糸の斜視図であって、メッシュはメッシュの前面を横切るブルスアイスタンプと文字との両方を有している。
【図５】図５は、本開示に従う、事前にマーキングされたメッシュと協力する複数の異なる着色の縫合糸の斜視図であって、メッシュはメッシュの前面を横切る文字と矢状の印との両方を有している。
【図６】図６は、本開示に従う、事前にマーキングされたメッシュと協力する複数の異なる着色の縫合糸の斜視図であって、メッシュはメッシュの前面を横切る文字を有しており、文字はメッシュの配向が正しくないことを示している。
【図７】図７は、本開示に従う、事前にマーキングされたメッシュと協力する複数の異なる着色の縫合糸の斜視図であって、メッシュはメッシュの前面を横切るブルスアイスタンプと文字との両方を有しており、メッシュとメッシュ上のパッチとは円形である。
【図８Ａ】図８Ａは、本開示の第三の実施形態に従う、外科用固定具の挿入に好適な４つの領域を有する事前にマーキングされたメッシュの斜視図である。
【図８Ｂ】図８Ｂは、本開示の第三の実施形態に従う、外科用固定具の挿入に好適な２つの領域を有する事前にマーキングされたメッシュの斜視図である。
【発明を実施するための形態】
【００１３】
特定の例示的な実施形態がここで述べられ、それにより、本明細書において開示される原理、構造、機能、製造ならびに、装置および方法の使用について全体的な理解が提供される。これらの実施形態の１つ以上の例が添付図面に示される。当業者であれば、本明細書に具体的に記述され、添付図面に示された装置および方法が限定のない例示的な実施形態であり、本開示の範囲はクレームによってのみ規定されることを理解するであろう。１つの例示的な実施形態に関連して図示または記述される特徴は、他の実施形態の特徴と組み合わせられ得る。そのような修正または変更は、本開示の範囲内に含まれることが意図される。
【００１４】
本開示は、概して、少なくとも１つのマーキングをその上に形成され得る可撓性の縫合糸のストランドを含む縫合糸材料を提供する。マーキングは、縫合糸の様々な情報上の特性を改良された縫合糸材料の使用者に提供するように適合される。例えば、マーキングは、縫合糸の少なくとも１つの使用特質に関連する情報を示し得る。使用特質の例は、縫合糸の配向を含み得る。さらに、メッシュの正確な配向もまた本開示の例示的な実施形態によって提供され得る。
【００１５】
本開示は、例えば、対象の組織に、縫合糸をアンカーする縫合糸アンカーアセンブリ、方法、および装置をさらに提供する。本開示のアセンブリ、方法、および装置は、１つ以上の縫合糸要素が据え付けられる１つ以上の縫合糸アンカーを使用することによって、外科処置の間における縫合糸の経路設定、設置、および識別についての管理に対して、対象の組織を含む処置への特定の適用を提供する。本開示は、開放性処置のような他の外科処置においても同様に有用性があるが、関節鏡的な手術への特定の適用も有している。
【００１６】
本開示の特定の実施形態が、添付図を参照して本明細書において述べられる。
【００１７】
ここで、図面を参照すると、図面において類似の参照番号は、いくつかの図を通して同一または実質的に同様の部分を識別し、図１〜７は、概して、外科医に提供される縫合糸キット内に組み込まれ得る縫合糸およびメッシュ材料について述べている。
【００１８】
図１を参照すると、本開示に従う、事前にマーキングされたメッシュと協力する複数の異なる着色の縫合糸の斜視図が示されている。
【００１９】
図１の縫合糸／メッシュ構成１００は、メッシュ２０、縫合糸３２を有する第一のパッチ３０、縫合糸４２を有する第二のパッチ４０、縫合糸５２を有する第三のパッチ５０、および縫合糸６２を有する第四のパッチ６０を含む。
【００２０】
縫合糸３２、４２，５２，６２は、各縫合糸要素を一意的に識別するために視覚的にコード化される。パッチ３０、４０、５０、６０は、また、各パッチ要素を一意的に識別するために視覚的にコード化される。視覚コードは、好ましくは色コードである。しかしながら、当業者は、パッチ３０、４０、５０、６０および縫合糸３２、４２，５２，６２を認識するためのいくつかの異なる視覚コードを想定し得る。そのような視覚コードは、様々な縫合糸の材料、パターン、設計、形状、大きさ等を使用することを含み得る。一実施形態において、縫合糸キットが少なくともメッシュ２０、縫合糸３２、４２、５２、６２およびパッチ３０、４０、５０、６０を組み込んで提供される。縫合糸キットは、少なくとも４つのコントラストを成す色を含み得ることにより、例えば、ヘルニア修復処置の間に、メッシュ２０の隅を固定するために使用される縫合糸３２、４２、５２、６２を識別することの簡略化を支援する。各色が、単一の縫合糸に割り当てられる。
【００２１】
第一のパッチ３０は、第一の縫合糸３２の第一の端の位置の視覚標識、他の縫合糸４２、５２、６２から第一の縫合糸３２を区別するための視覚コード、および第一の縫合糸３２を操作するために外科医が鉗子または別の外科用具を用いることによって便利に把持するための表面を提供する。同様に、縫合糸４２、５２、６２は、そのような縫合糸を互いから区別するための視覚標識を提供する。
【００２２】
複数のパッチ３０、４０、５０、６０は、メッシュ２０上に据え付けられ得る。外科領域における使用に適合する任意の種類の視覚コードが使用され得、それは、色コード、パッチ３０、４０、５０、６０上に表示されるか、またはパッチ３０、４０、５０、６０の形状内に組み込まれる視覚パターンを含む。視覚コード化のための縫合糸マーキングは、着色されたワックス、マーカー、タグまたは他の手段を組み込み得る。例えば、パッチ３０、４０、５０、６０の色コード、形状、または他の識別特性は、縫合糸３２、４２、５２、６２上の色コード、形状、または他の識別特性と一致し得る。パッチ３０、４０、５０、６０は、外科処置の間、可視性のため、かつ把持するのに便利さのために大きさにされる。一実施形態において、パッチ３０、４０、５０、６０は、最大の面積または約１０ｍｍの長さを有する。しかしながら、当業者であれば、複数の寸法を有する複数のパッチを製造することを想定し得る。さらに、パッチ３０、４０、５０、６０は、等しい大きさである必要はない。換言すると、用途に応じて、第一のパッチ３０および第二のパッチ４０は長さが１０ｍｍであり得、第三のパッチ５０および第四のパッチ６０は長さが１インチであり得る。
【００２３】
別の実施形態において、パッチ３０、４０、５０、６０は、フック、外科用把持装置によって係合するための、または他の縫合糸要素を通過させるための開口を含み得る。所望の場合、触覚要素がパッチ３０、４０、５０、６０に形成され得るか、またはパッチ３０、４０、５０、６０に据え付けられ得る。さらに、少なくとも１つのパッチが、選択的にその中に１つ以上の穴を形成され得、それにより、縫合糸要素はそれを通過することができる。換言すると、複数のパッチがメッシュ２０の各隅に組み込まれ得る。勿論、パッチ３０、４０、５０、６０はメッシュ２０の隅に位置することだけが必要なわけではない。パッチ３０、４０、５０、６０はメッシュ２０の任意の場所に設置され得る。
【００２４】
縫合糸３２、４２、５２、６２は、ワックス（黄蝋、石油ワックス、ポリエチレンワックス等）、シリコーン（ＤＯＷ  ＣＯＲＮＩＮＧ（登録商標）  ｓｉｌｉｃｏｎｅ  ｆｌｕｉｄ２０２Ａ等）、シリコーンゴム（結合形成触媒を有するＮＵＳＩＬ  ＴＥＣＨＮＯＬＯＧＹＴＭ  Ｍｅｄ２２４５およびＭｅｄ２１７４等）、ＰＴＦＥ（ＴＥＦＬＯＮ（登録商標）、ＨＯＳＴＡＦＬＯＮ（登録商標）等）、ＰＢＡ（ポリブチレート酸）、エチルセルロース（ＦＩＬＯＤＥＬＴＭ）または他のコーティングによって被覆され得、それにより、例えば、編組の潤滑性、結び目保証、耐摩耗性等を改善する。
【００２５】
縫合糸３２、４２、５２、６２は、対比および識別を支援するために、本来の色（透明）、白、青、緑、紫、黒、または任意の他の肌色でない色の組合せであり得る。また、縫合糸３２、４２、５２、６２は、単繊維、多繊維、組紐、有刺および／または任意のそれらの組合せとして構成され得る。さらに、縫合糸３２、４２、５２、６２は、吸収性モノマー、非吸収性モノマー、ポリマー、およびそれらの組合せから成り得る。
【００２６】
メッシュ２０は、また、例えば、縫合糸３２、４２、５２、６２と一致する色に対応する４つのパッチ３０、４０、５０、６０によって、４つ以上の領域に区分けされ得る。こうして、１つ以上の縫合糸のマーキングは縫合糸の色のマーキングであり得、１つ以上のメッシュのマーキングは、メッシュの色のマーキングであり得、縫合糸の色のマーキングは、対象の組織に対するメッシュ材料の正しい配向を示すためのメッシュの色のマーキングに対応する。換言すると、各着色された縫合糸３２、４２、５２、６２は、メッシュ２０上のパッチ３０、４０、５０、６０に対応し得、メッシュ２０は、どの縫合糸がメッシュ２０のどのパッチと一致させられるかを外科医が識別することを支援するために、同一の色を有する。
【００２７】
メッシュ２０の色のマーキングは、メッシュ織内への染糸の組込みか、メッシュ２０が織られた後のスタンピング工程によって達成され得る。パッチ３０、４０、５０、６０は、任意の所望の大きさであり得る。それらは、メッシュ２０の隅のマイナーな部分を覆うのに十分な小ささであり得、または、メッシュ２０の四分円全体を包含するのに十分な大きさであり得る。メッシュ２０は、また、複数の形状および大きさで提供され得る（図７を参照）。例えば、メッシュ２０は、正方形、長方形、円形、楕円形、またはメッシュ２０が利用される修復に特有の他の形状であり得る。
【００２８】
使用において、縫合糸３２、４２、５２、６２は、縫合されている組織を貫通させられ、使用者は、縫合糸上に形成される少なくとも１つのマーキングによって提供される表示に基づいて、縫合糸の少なくとも１つの使用特性（例えば、配向）を識別することができる。マーキングされた縫合糸３２、４２、５２、６２は、それらが外科医によって縫合糸３２、４２、５２、６２の使用の容易性の向上を提供すること、特に最小侵襲性外科処理において組織を縫合するときに経験される可視性および配向の問題のいくつかを緩和を容易にすることにおいて有利である。
【００２９】
当業者であれば、本開示の縫合糸材料が、縫合糸材料の別の使用特性を示すために、および／または縫合糸の可視性を向上させるために、違ったふうに構成され得ることを理解するであろう。例えば、本明細書で述べられたような可撓性の縫合糸のストランド上に形成される少なくとも１つのマーキングは、放射線不透過性であり得る。代替的に、本明細書で述べられる縫合糸上のマーキングは、コントラストを成す色のものであり得る。例えば、少なくとも１つのマーキングは、縫合糸の色ではない色であり得る。さらに、本明細書で述べられる縫合糸上に形成されるマーキングは、縫合糸のテクスチャとは異なるテクスチャのものであり得る。例えば、マーキングは縫合糸のストランド内にインデントされ得るか、または縫合糸のストランド上に浮き彫りにされ得る。さらに、当業者であれば、本開示の縫合糸３２、４２、５２、６２が、当該技術で公知の他のマーキングまたは特徴と同様に、本明細書で述べられるマーキングまたは特徴の任意の組合せを含み得ることを理解するであろう。
【００３０】
図２を参照すると、本開示に従う、メッシュの前面上にブルスアイスタンプを有する事前にマーキングされたメッシュと協力する複数の異なる着色の縫合糸の斜視図が示されている。
【００３１】
図２の同一部品または実質的に同様の部品を識別する図１の類似の参照番号についてはこの節では記述されない。図２において、縫合糸／メッシュの構成２００は、ブルスアイスタンプ２１０をさらに含む。
【００３２】
ブルスアイスタンプ２１０は、縫合糸３２、４２、５２、６２の着色の代替として、または縫合糸３２、４２、５２、６２の着色への追加として用いられ得る。メッシュ２０に接着剤を塗布すること、メッシュ２０上に印刷すること、メッシュ２０にスタンプすること、および／またはメッシュ２０上にシンボルを形成することが可能である。シンボルは、カットアウト等によってメッシュ２０に導入され得る。メッシュ２０、またはメッシュ２０のいくつかの部分は、その領域において対象のメッシュ構造がスタンプされることが望まれ、識別の表面／部分／領域とも呼ばれ得る。さらに、メッシュ２０が、縫合糸３２、４２、５２、６２ではない任意の所望の部品に対する支持として機能するか、またはそれを受け取ることが考えられる。
【００３３】
メッシュ２０上に形成されるブルスアイスタンプ２１０は、変形によって、特に、圧力および／または熱の結果として形成されることが好ましい。このことは、ブルスアイスタンプ２１０を形成する材料が連続した表面を形成するまで加熱または圧縮されることを意味する。定義「連続した表面」は、完全に平滑で均質なブルスアイスタンプ２１０が存在することが必要であることを意味しない。たとえ表面が完全に連続していなくとも、連続した表面に多少の間隙が残る場合は許容される。メッシュ２０上に形成されるブルスアイスタンプ２１０は、適用または導入されるべき情報、シンボル、書き込み／文字、ステッカー、または他のアイテムに対する基礎または支持として機能することに十分であり得る。ブルスアイスタンプ２１０の目的が必要とするならば、接着剤がこのブルスアイスタンプ２１０に十分しっかりと付着可能であることがあり得るべきである。
【００３４】
さらに、ブルスアイスタンプ２１０は、メッシュ２０を配向／誘導するために用いられ得る。しかしながら、ブルスアイスタンプ２１０は、また、メッシュ２０を１つ以上の欠陥を覆って配置、心合わせ、設置するために用いられもし得る。また、メッシュ２０の全長にわたって、任意の形状または大きさの複数のブルスアイスタンプ２１０が存在し得る。
【００３５】
図３を参照すると、本開示に従う、メッシュの前面を横切る文字を有する事前にマーキングされたメッシュと協力する複数の異なる着色の縫合糸の斜視図が示されている。
【００３６】
図３の同一部品または実質的に同様の部品を識別する図１の類似の参照番号についてはこの節では記述されない。図３において、縫合糸／メッシュの構成３００は、ブルスアイスタンプ３１０をさらに含む。
【００３７】
さらに、文字３１０は、メッシュ２０の表面上に配置され得る。文字３１０は、メッシュ２０の前（腹側）面上に配置され得る。文字３１０は、「ＴＯＰ」のような任意の所望の単語であり得る。文字３１０は、任意の大きさ、任意の色でメッシュ２０の任意の部分上に設置され得る。さらに、文字３１０は、メッシュ２０の表面全体に広がっている複数の同一の単語（例えば、「ＴＯＰ」、「ＴＯＰ」、「ＴＯＰ」）、または異なる単語（例えば、「ＴＯＰ」、「ＨＥＲＥ」等）から成り得る。文字３１０は、直列の態様、または並列の態様で示され得、単語は所定の水平方向または垂直方向の間隔で距離をおいて離され得る。
【００３８】
図４を参照すると、本開示に従う、メッシュの前面を横切るブルスアイスタンプと文字との両方を有する事前にマーキングされたメッシュと協力する複数の異なる着色の縫合糸の斜視図が示されている。
【００３９】
図４の同一部品または実質的に同様の部品を識別する図１の類似の参照番号についてはこの節では記述されない。図４において、縫合糸／メッシュの構成４００は、ブルスアイスタンプ２１０と文字３１０の両方とをさらに含む。
【００４０】
メッシュ２０の前面上にスタンプされた文字３１０（例えば、「ＴＯＰ」）およびブルスアイスタンプ２１０の両方を有することの利点は、外科医がメッシュ２０の正しい面が、対象の正しい種類の組織と接触していることを確実にすることであろう。例えば、一部のメッシュ製品は、後（背側）面上に、癒着を軽減する、治癒を支援する、およびメッシュ２０の配置を修正することに特効の被覆を有する。メッシュ２０が正しくない位置に（例えば、さかさまに、または逆に）設置される場合、外科医は被覆が上向きになっていること、または文字が逆になっていること（図６を参照）を決定することができるであろう。こうして、異なるマーキングの組合せは、縫合糸キットの同一のメッシュ２０内に組み込まれ得る。
【００４１】
図５を参照すると、本開示に従う、メッシュの前面を横切る文字および矢状の印の両方を有する事前にマーキングされたメッシュと協力する複数の異なる着色の縫合糸の斜視図が示されている。
【００４２】
図５の同一部品または実質的に同様の部品を識別する図１の類似の参照番号についてはこの節では記述されない。図５において、縫合糸／メッシュの構成５００は、矢状の印をさらに含む。
【００４３】
矢状の印５１０は、メッシュ２０の隅に、または所定の距離をおいて離された間隔でメッシュ２０の長さに沿ってのいずれかで、メッシュ２０の上面上、またはメッシュ２０の前面上に配置され得る。矢状の印５１０は、好ましくは、一方向を向くように配置され得る。しかしながら、当業者であれば、いくつかの構成の複数の矢状の印５１０を配置することを企図し得、この場合、所望の用途に応じて矢は異なる形状および色を有する。こうして、異なるマーキングの組合せが、縫合糸キットの同一のメッシュ２０内に組み込まれ得る。
【００４４】
図６を参照すると、本開示に従う、メッシュの前面を横切る文字を有する事前にマーキングされたメッシュと協力する複数の異なる着色の縫合糸の斜視図が示されており、文字はメッシュの配向が正しくないことを示している。
【００４５】
図６の同一部品または実質的に同様の部品を識別する図１の類似の参照番号についてはこの節では記述されない。図６において、縫合糸／メッシュの構成６００は、文字６１０をさらに含む。
【００４６】
文字６１０は、メッシュ２０が逆、または逆さまに設置されてしまったことを、メッシュ２０および縫合糸３２、４２、５２、６２を用いて外科医に示す。メッシュ２０の正しくない面が組織部位上に配置されると、外科医は、この例においては、「ＴＯＰ」ではなく「９ＯＴ」と読まれる文字６１０を見て、その配向を修正するためにメッシュ２０を裏返したいと思わせられるであろう。
【００４７】
さらに、文字は、「後方」、「前方」、「背側」、「腹側」のような、基本方向または主要点を指す。勿論、基本的方向のイニシャル「Ｐ」、「Ａ」、「Ｄ」および「Ｖ」だけが用いられ得る。さらに、任意の言語における任意の種類の文字または慣用句または文またはシンボルが、メッシュ２０の配向／方向を示すために用いられ得る。
【００４８】
図７を参照すると、本開示の第二の実施形態に従う、メッシュの前面を横切るブルスアイスタンプおよび文字の両方を有する事前にマーキングされたメッシュと協力する複数の異なる着色の縫合糸の斜視図が示されており、メッシュおよびメッシュ上のパッチは円形である。
【００４９】
縫合糸／メッシュ構成７００は、メッシュ７１０、縫合糸７２２を有する第一のパッチ７２０、第二のパッチ７３０、第三のパッチ７４０、および第四のパッチ７５０を含む。パッチ７２０、７３０、７４０、７５０の各々は、それらを貫通する複数の縫合糸を有し得る。さらに、メッシュ７１０は、ブルスアイスタンプ７６０および文字７７０を含む。
【００５０】
縫合糸／メッシュ構成７００は、円形のパッチ７２０、７３０、７４０、７５０を有する円形のメッシュ７１０を図示し、これらの円形のパッチはメッシュ７１０の外側の円周／周囲に設置されている。当業者であれば、縫合糸キット内に組み込まれる様々な異なる形状、大きさ、色の複数の異なるメッシュ／縫合糸構成を想定し得る。
【００５１】
図８Ａおよび８Ｂを参照すると、本開示の第三の実施形態に従う、挿入タックに適した複数のメッシュをそれぞれが有する事前にマーキングされたメッシュの斜視図が示されている。
【００５２】
図８Ａにおいて、メッシュ設計８００Ａは、固定具を発射（ｆｉｒｉｎｇ）または挿入（ｉｎｓｅｒｔｉｎｇ）することに適した４つの領域８２０、８３０、８４０、８５０を有するメッシュ８１０を含む。図８Ｂにおいては、メッシュ設計８００Ｂは、固定具を発射または挿入することに適した２つの領域８６０、８７０を有するメッシュ８１０を含む。領域８２０、８３０、８４０、８５０、８６０、８７０は、医療専門家がタック、ステープル、クリップのような固定具を配置するための目標区域である。領域８２０、８３０、８４０、８５０、８６０、８７０は、医療専門家がメッシュ８１０に関して、例えばタックの正しいまたは正確な設置を確実にすることを可能にする。こうして、メッシュ設計８００Ａおよび８００Ｂは、１つ以上の種類の印を有するパッチを提供し、これらの印は、パッチの大きさ、形状、設置が適切であることを外科医が確実にすることを助け、外科領域を囲む組織にパッチを固定するための視覚ガイドを外科医に提供する。領域８２０、８３０、８４０、８５０、８６０、８７０は、メッシュ８１０を患者の組織に固定するための適当な区域を外科医に示すために、任意の言語の、任意の大きさの任意の種類の文字を含み得る。図８Ａおよび８Ｂにおいて、文字「Ｆｉｒｅ  Ｈｅｒｅ」は、外科医が、例えばタックを挿入すべき場所を示す。領域８２０、８３０、８４０、８５０、８６０、８７０は、任意の形状または大きさであり得、メッシュ８１０の任意の部分上に位置し得る。勿論、当業者であれば、外科医および／または医療専門家に対する視覚ガイドとして動作する任意の種類のグリッド構成を使用することを予測し得る。
【００５３】
さらに、マーキングは、また、例えばメッシュ材料の中にマーキングを縫い込むか、または織り込むような様々な機械的な手段によってメッシュ８１０に取り付けられ得る。同様に、金属糸のようなマーキングが、また、生物適合性の接着剤のような粘着性手段によって材料に取り付けられ得る。さらに、領域８２０、８３０、８４０、８５０、８６０、８７０は、補強された領域であり得る。換言すると、領域８２０、８３０、８４０、８５０、８６０、８７０は、タック、クリップ等を収容するために、メッシュ８１０よりも厚くあり得る。これらの補強された領域は、そのようなタック、クリップ等を収容するために、メッシュ８１０の残りの部分に対してより大きな引張強度を有する材料から形成され得る。勿論、当業者であれば、所望の用途に対してメッシュ８１０を構成するために異なる引張強度の複数の異なる材料を用いることを予想し得る。
【００５４】
結論として、本開示の縫合糸材料は、例えば、組織を修復または再付着するために、様々な外科処置において使用され得る。例示的な実施形態において、縫合糸は内視鏡処置または腹腔鏡処置のような最小侵襲性処置の間に実行される縫合処置において使用され得る。別の例示的な実施形態において、縫合糸材料が、表皮破壊を縫合する場面において使用される。しかしながら、本明細書に述べられる方法は、開放性かつ侵襲性の外科処置の間のような別の場面において分離した組織を接合することにも同様に等しく適用可能であることが理解されるであろう。
【００５５】
本開示の改良された縫合糸材料は、縫合糸材料の形成に使用することに適した様々な公知の材料から形成され得る。さらに、本開示の例示的な実施形態は、様々なプロセスにおいて縫合糸材料上に形成され得る。一例として、本開示を具体化する様々な縫合糸マーキングは、オフセットプリンティングプロセスによって、本明細書に述べられた縫合糸に適用され得る。マーキングは、パッドプリンティングプロセスによっても本開示の縫合糸に適用され得、それは、マスターからインクを獲得し、続いてしるしを縫合糸材料に転写することを含み得る。
【００５６】
別の実施形態において、本開示に従う縫合糸アンカーアセンブリは、キットとして提供され、このキットは、挿入具に据え付けられた縫合糸アンカーと、アンカーに事前に据え付けられた、上記のような１つ以上のの視覚的にコード化された縫合糸要素とを含む。さらなる実施形態において、いくつかの異なるキットが提供され、その各々は、包含されている縫合糸要素の一意的な視覚コードを有し、それによって、多重のアンカー処置に対して、外科医が本開示の縫合糸管理能力を付加的に利用することを可能にする。
【００５７】
本開示に従う、縫合糸アンカーアセンブリおよびその適用は多くの利点を有する。これらの利点は、限定するものではないが、外科医／使用者に対する使用の容易さ、およびソフトな組織修復を実行するために必要な手術の時間と技量とにおける予想される軽減に関連した利点を含む。本開示に従う縫合糸アンカーアセンブリを使用することは、また、手術部位についての管理を必要とする縫合糸リムの数を低減し、それによって、従来の縫合糸構成に関連する絡み合うことの起こりうる混乱およびリスクを軽減する。
【００５８】
本開示のいくつかの実施形態が図面において示されてきたが、本開示はそれらに限定されることを意図されていない。なぜなら、本開示の範囲は、本技術が許容する限り広いこと、そして、明細書はそのように読まれることが意図されているからでる。それ故に、上記は限定として解釈されるべきではなく、単に本開示の実施形態の例示としてだけ解釈されるべきである。従って、実施形態の範囲は、所与の例によるのではなく、添付のクレームおよびそれらの法的な均等物によって決定されるべきである。
【００５９】
いわゆる当業者であれば、本明細書で具体的に述べられ、添付の図面に図示された装置および方法は、限定的でない例示的な実施形態であることを理解するであろう。１つの例示的な実施形態に関係して図示されるか、または述べられた特徴は、他の実施形態の特徴と組み合わされ得る。そのような修正および変化は、本開示の範囲内であることが意図される。同様に、当業者であれば、上記の実施形態に基づいて発明の特徴および利点を理解するであろう。従って、本開示は、添付のクレームによって示される場合を除いて、詳細に示され、そして述べられてきたものによって限定されるべきではない。
【符号の説明】
【００６０】
２０  メッシュ
３０、４０、５０、６０  パッチ
３２、４２、５２、６２  縫合糸
１００  縫合糸／メッシュ構成
【図１】
2011078767.tif 000003
【図２】
2011078767.tif 000004
【図３】
2011078767.tif 000005
【図４】
2011078767.tif 000006
【図５】
2011078767.tif 000007
【図６】
2011078767.tif 000008
【図７】
2011078767.tif 000009
【図８Ａ】
2011078767.tif 000010
【図８Ｂ】
2011078767.tif 000011